【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
被写体を撮影するとともに、撮影した画像を再生する画像処理装置において、
撮影された前記被写体の画像を記録する記録手段と、
前記記録手段により記録された複数の前記画像から生成されるインデックス画像の表示を制御する第１の表示制御手段と、
前記第１の表示制御手段により表示が制御されている前記インデックス画像から、所定のインデックス画像が選択された場合、選択された前記所定のインデックス画像に対応する前記画像が動画像であるか、または静止画像であるか否かを判定する判定手段と、
前記判定手段により前記動画像であると判定された場合、前記動画像の表示を制御する第２の表示制御手段と、
前記第２の表示制御手段により表示が制御されている前記動画像を構成する複数コマのうち、所定のコマが選択された場合、選択された前記所定のコマから、アニメーション画像の基になるサムネイル画像を生成する生成手段と、
前記生成手段により生成された複数の前記サムネイル画像から、前記アニメーション画像を編集する編集手段と
を備えることを特徴とする画像処理装置。
【請求項２】
前記判定手段により前記静止画像であると判定された場合、前記生成手段は、前記所定のインデックス画像に対応する前記画像から、前記アニメーション画像の基になる前記サムネイル画像を生成し、
前記編集手段は、前記生成手段により、前記所定のコマから生成された１以上の前記サムネイル画像、または、前記画像から生成された１以上の前記サムネイル画像から、前記アニメーション画像を編集する
ことを特徴とする請求項１に記載の画像処理装置。
【請求項３】
前記第１の表示制御手段は、前記編集手段により編集された前記アニメーション画像から生成されるインデックス画像の表示をさらに制御する
ことを特徴とする請求項１に記載の画像処理装置。
【請求項４】
前記第１の表示制御手段により表示が制御されている前記インデックス画像から、所定のインデックス画像が選択された場合、選択された順番を示す番号の表示を制御する第３の表示制御手段をさらに備える
ことを特徴とする請求項１に記載の画像処理装置。
【請求項５】
被写体を撮影するとともに、撮影した画像を再生する画像処理装置の画像処理方法において、
撮影された前記被写体の画像の記録を制御する記録制御ステップと、
前記記録制御ステップの処理により記録が制御された複数の前記画像から生成されるインデックス画像の表示を制御する第１の表示制御ステップと、
前記第１の表示制御ステップの処理により表示が制御されている前記インデックス画像から、所定のインデックス画像が選択された場合、選択された前記所定のインデックス画像に対応する前記画像が動画像であるか、または静止画像であるか否かを判定する判定ステップと、
前記判定ステップの処理により前記動画像であると判定された場合、前記動画像の表示を制御する第２の表示制御ステップと、
前記第２の表示制御ステップの処理により表示が制御されている前記動画像を構成する複数コマのうち、所定のコマが選択された場合、選択された前記所定のコマから、アニメーション画像の基になるサムネイル画像を生成する生成ステップと、
前記生成ステップの処理により生成された複数の前記サムネイル画像から、前記アニメーション画像を編集する編集ステップと
を含むことを特徴とする画像処理方法。
【請求項６】
被写体を撮影するとともに、撮影した画像を再生する画像処理装置を制御するプログラムが記録されている記録媒体であって、
撮影された前記被写体の画像の記録を制御する記録制御ステップと、
前記記録制御ステップの処理により記録が制御された複数の前記画像から生成されるインデックス画像の表示を制御する第１の表示制御ステップと、
前記第１の表示制御ステップの処理により表示が制御されている前記インデックス画像から、所定のインデックス画像が選択された場合、選択された前記所定のインデックス画像に対応する前記画像が動画像であるか、または静止画像であるか否かを判定する判定ステップと、
前記判定ステップの処理により前記動画像であると判定された場合、前記動画像の表示を制御する第２の表示制御ステップと、
前記第２の表示制御ステップの処理により表示が制御されている前記動画像を構成する複数コマのうち、所定のコマが選択された場合、選択された前記所定のコマから、アニメーション画像の基になるサムネイル画像を生成する生成ステップと、
前記生成ステップの処理により生成された複数の前記サムネイル画像から、前記アニメーション画像を編集する編集ステップと
を含むことを特徴とするコンピュータが読み取り可能なプログラムが記録されている記録媒体。
【請求項７】
被写体を撮影するとともに、撮影した画像を再生する画像処理装置を制御するコンピュータに実行されるプログラムであって、
撮影された前記被写体の画像の記録を制御する記録制御ステップと、
前記記録制御ステップの処理により記録が制御された複数の前記画像から生成されるインデックス画像の表示を制御する第１の表示制御ステップと、
前記第１の表示制御ステップの処理により表示が制御されている前記インデックス画像から、所定のインデックス画像が選択された場合、選択された前記所定のインデックス画像に対応する前記画像が動画像であるか、または静止画像であるか否かを判定する判定ステップと、
前記判定ステップの処理により前記動画像であると判定された場合、前記動画像の表示を制御する第２の表示制御ステップと、
前記第２の表示制御ステップの処理により表示が制御されている前記動画像を構成する複数コマのうち、所定のコマが選択された場合、選択された前記所定のコマから、アニメーション画像の基になるサムネイル画像を生成する生成ステップと
前記生成ステップの処理により生成された複数の前記サムネイル画像から、前記アニメーション画像を編集する編集ステップと
を含むことを特徴とするプログラム。
【請求項８】
被写体を撮影するとともに、撮影した画像を再生する画像処理装置において、
撮影された前記被写体の画像を記録する記録手段と、
前記記録手段により記録された複数の前記画像から選択された画像の表示を制御する表示制御手段と、
前記表示制御手段により表示が制御されている前記画像を構成する複数のコマのうち、所定のコマが選択された場合、選択された前記所定のコマから、アニメーション画像の基になるサムネイル画像を生成する生成手段と、
前記生成手段により生成された前記サムネイル画像を少なくとも一つ含むアニメーション画像を編集する編集手段と
を備えることを特徴とする画像処理装置。
【請求項９】
被写体を撮影するとともに、撮影した画像を再生する画像処理装置において、
撮影された前記被写体の画像を記録する記録手段と、
前記記録手段により記録された複数の画像から所定の画像を選択する選択手段と、
前記選択手段により選択された前記所定の画像の表示が指示された場合、表示が指示された前記所定の画像の表示を制御する表示制御手段と、
前記選択手段により選択された前記所定の画像を基にアニメーション画像を編集する編集手段と
を備えることを特徴とする画像処理装置。
【請求項１０】
被写体を撮影するとともに、撮影した画像を再生する画像処理装置において、
撮影された前記被写体の画像を記録する記録手段と、
前記記録手段により記録された複数の画像から所定の画像を選択する選択手段と、
前記選択手段により選択された前記所定の画像を基にアニメーション画像を編集する編集手段と、
前記編集手段により編集された前記アニメーション画像から生成されるインデックス画像の表示を制御する表示制御手段と
を備えることを特徴とする画像処理装置。
【請求項１１】
前記編集手段はさらに、編集された前記アニメーション画像に対して、前記選択手段により選択された所定の画像を追加した新たなアニメーション画像を編集する
ことを特徴とする請求項１０に記載の画像処理装置。
【請求項１２】
前記編集手段はさらに、編集された前記アニメーション画像から、前記選択手段により選択された所定の画像を削除した新たなアニメーション画像を編集する
ことを特徴とする請求項１０に記載の画像処理装置。
【請求項１３】
前記編集手段はさらに、編集された前記アニメーション画像から、前記選択手段により選択された所定の画像の表示される順序を変更した新たなアニメーション画像を編集する
ことを特徴とする請求項１０に記載の画像処理装置。
【請求項１４】
前記表示制御手段は、前記記録手段により記録された複数の画像から生成されるインデックス画像の表示をさらに制御し、前記アニメーション画像から生成されるインデックス画像の表示と前記記録手段により記録された複数の画像から生成されるインデックス画像の表示との切り換えを制御する
ことを特徴とする請求項１０に記載の画像処理装置。
【手続補正２】
【補正対象書類名】明細書
【補正対象項目名】００１４
【補正方法】変更
【補正の内容】
【００１４】
本発明のプログラムは、撮影された被写体の画像の記録を制御する記録制御ステップと、記録制御ステップの処理により記録が制御された複数の画像から生成されるインデックス画像の表示を制御する第１の表示制御ステップと、第１の表示制御ステップの処理により表示が制御されているインデックス画像から、所定のインデックス画像が選択された場合、選択された所定のインデックス画像に対応する画像が動画像であるか、または静止画像であるか否かを判定する判定ステップと、判定ステップの処理により動画像であると判定された場合、動画像の表示を制御する第２の表示制御ステップと、第２の表示制御ステップの処理により表示が制御されている動画像を構成する複数コマのうち、所定のコマが選択された場合、選択された所定のコマから、アニメーション画像の基になるサムネイル画像を生成する生成ステップと、生成ステップの処理により生成された複数のサムネイル画像から、前記アニメーション画像を編集する編集ステップとをコンピュータに実行させることを特徴とする。
【手続補正３】
【補正対象書類名】明細書
【補正対象項目名】００１５
【補正方法】変更
【補正の内容】
【００１５】
本発明の画像処理装置および方法、並びにプログラムにおいては、撮影された被写体の画像が記録され、記録された複数の画像から生成されるインデックス画像の表示が制御され、そのインデックス画像から、所定のインデックス画像が選択された場合、選択された所定のインデックス画像に対応する画像が動画像であるか、または静止画像であるか否かが判定され、動画像であると判定された場合、動画像の表示が制御され、動画像を構成する複数コマのうち、所定のコマが選択された場合、選択された所定のコマから、アニメーション画像の基になるサムネイル画像が生成され、生成された複数のサムネイル画像から、アニメーション画像が編集される。
本発明の画像処理装置は、撮影された被写体の画像を記録する記録手段と、記録手段により記録された複数の画像から選択された画像の表示を制御する表示制御手段と、表示制御手段により表示が制御されている画像を構成する複数のコマのうち、所定のコマが選択された場合、選択された所定のコマから、アニメーション画像の基になるサムネイル画像を生成する生成手段と、生成手段により生成されたサムネイル画像を少なくとも一つ含むアニメーション画像を編集する編集手段とを備えることを特徴とする。
本発明の画像処理装置においては、撮影された被写体の画像が記録され、記録された複数の画像から選択された画像の表示が制御され、表示が制御されている画像を構成する複数のコマのうち、所定のコマが選択された場合、選択された所定のコマから、アニメーション画像の基になるサムネイル画像が生成され、生成されたサムネイル画像を少なくとも一つ含むアニメーション画像が編集される。
本発明の画像処理装置は、撮影された被写体の画像を記録する記録手段と、記録手段により記録された複数の画像から所定の画像を選択する選択手段と、選択手段により選択された所定の画像の表示が指示された場合、表示が指示された所定の画像の表示を制御する表示制御手段と、選択手段により選択された所定の画像を基にアニメーション画像を編集する編集手段とを備えることを特徴とする。
本発明の画像処理装置においては、撮影された被写体の画像が記録され、記録された複数の画像から所定の画像が選択され、選択された所定の画像の表示が指示された場合、表示が指示された所定の画像の表示が制御され、選択された所定の画像を基にアニメーション画像が編集される。
本発明の画像処理装置は、撮影された被写体の画像を記録する記録手段と、記録手段により記録された複数の画像から所定の画像を選択する選択手段と、選択手段により選択された所定の画像を基にアニメーション画像を編集する編集手段と、編集手段により編集されたアニメーション画像から生成されるインデックス画像の表示を制御する表示制御手段とを備えることを特徴とする。
編集手段には、さらに、編集されたアニメーション画像に対して、選択手段により選択された所定の画像を追加した新たなアニメーション画像を編集させるようにすることができる。
編集手段には、さらに、編集されたアニメーション画像から、選択手段により選択された所定の画像を削除した新たなアニメーション画像を編集させるようにすることができる。
編集手段には、さらに、編集されたアニメーション画像から、選択手段により選択された所定の画像の表示される順序を変更した新たなアニメーション画像を編集させるようにすることができる。
表示制御手段には、記録手段により記録された複数の画像から生成されるインデックス画像の表示をさらに制御させ、アニメーション画像から生成されるインデックス画像の表示と記録手段により記録された複数の画像から生成されるインデックス画像の表示との切り換えを制御させるようにすることができる。
本発明の画像処理装置においては、撮影された被写体の画像が記録され、記録された複数の画像から所定の画像が選択され、選択された所定の画像を基にアニメーション画像が編集され、編集されたアニメーション画像から生成されるインデックス画像の表示が制御される。